(57)【要約】      （修正有）【課題】特定遊技状態を多様に設定した弾球遊技機において、保留玉当たり予告をすることにより、遊技場にとっては稼働率の落ちない、遊技者にとっては興趣ある遊技機を提供する。【解決手段】始動入賞口４１，４２への遊技球の入賞により可変表示する特別図柄表示手段３１１と、始動入賞口への遊技球の入賞によっても特別図柄表示手段による可変表示が未実行である保留玉に係る表示を一定個数まで表示する保留玉表示手段３１５とを有する弾球遊技機において、保留玉が特定図柄となる当せん乱数を保有したことを判定する判定手段と、当該保留玉が当せん乱数を保有すると判定したとき、当該保留玉に係る表示を、特定遊技状態に制御される当せんであることを予告する当せん予告表示に変更するとともに、他の保留玉に係る表示を、前記当せんに係る特定遊技内容を予告する当せん内容予告表示に変更する保留玉表示変更手段を有する。【選択図】図１
2010063792.tif 000002
【特許請求の範囲】
【請求項１】
始動入賞口と、前記始動入賞口への遊技球の入賞により可変表示する特別図柄表示手段と、前記始動入賞口への遊技球の入賞によっても前記特別図柄表示手段による可変表示が未実行である保留玉に係る表示を一定個数まで表示する保留玉表示手段と、を有し、
前記特別図柄表示手段による表示が予め定められた特定図柄となった場合に、遊技者にとって互いに利益率の異なる複数の特定遊技状態のうち、いずれかの特定遊技状態に制御される弾球遊技機において、
前記保留玉表示手段に表示される保留玉が入賞に基づく抽せんで前記予め定められた特定図柄となる当せん乱数を保有したことを判定する判定手段と、前記判定手段によって前記保留玉が前記特定図柄となる当せん乱数を保有すると判定したとき、前記保留玉表示手段に表示される前記特定図柄となる当せん乱数を保有する保留玉に係る表示を、いずれかの特定遊技状態に制御される当せんであることを予告する当せん予告表示に変更するとともに、前記保留玉表示手段に表示される他の保留玉に係る表示を、前記当せんに係る特定遊技内容を予告する当せん内容予告表示に変更する保留玉表示変更手段を有することを特徴とする弾球遊技機。
【請求項２】
請求項１において、前記当せん内容予告表示を、前記保留玉毎に互いに異なる遊技内容の表示とすることを特徴とする弾球遊技機。
【請求項３】
請求項１ないし２において、前記保留玉表示変更手段は、前記保留玉表示手段に表示される他の保留玉を、前記当せん乱数を保有する保留玉に係る可変表示が終了されるまでに新たに前記保留玉表示手段に表示されることとなった保留玉とすることを特徴とする弾球遊技機。
【請求項４】
請求項１〜３において、前記保留玉表示変更手段は、前記保留玉表示手段に表示される他の保留玉を、前記保留玉表示手段に表示される保留玉が予め定められた特定図柄となる当せん乱数を保有したと判定されたときに既に前記保留玉表示手段に表示されている保留玉とすることを特徴とする弾球遊技機。
【請求項５】
請求項１〜４において、前記予告を行うか否かを抽選する予告抽せん手段を有し、前記予告抽せん手段に当せんすることによって前記予告を行うことを特徴とする弾球遊技機。
【発明の詳細な説明】
【技術分野】
【０００１】
本発明は、パチンコ遊技機等の弾球遊技機に関し、特に、大当たりに当せんした保留玉の予告表示に関するものである。
【背景技術】
【０００２】
弾球遊技機において、特別図柄表示手段を有し、特別図柄始動入賞口への遊技球の入賞によって該特別図柄表示手段の変動表示が開始され、その変動図柄が予め定められた図柄で停止した場合（つまり、大当たりとなった場合）、遊技者に有利な遊技状態である特定遊技状態に移行されるものが知られている。
この特別図柄表示手段の作動中（つまり、表示図柄が変動中）あるいは前記した特定遊技状態中において、特別図柄始動入賞口へ入賞した遊技球については、４個を上限として保留玉として扱われ、入賞時に付与された乱数が記憶されるとともに、該保留玉の個数が遊技盤上の所定位置に液晶表示されるよう構成されている。
この保留玉は、作動中の特別図柄表示手段の変動表示が終了すると、入賞順に、入賞時に付与された乱数に対応した特別図柄表示手段の変動表示が行われる。
【０００３】
このような弾球遊技機において、特定遊技状態にある時、保留玉中に大当たり乱数が付与されたものであるか否かを判定し、大当たり乱数を付与されたものがある場合には、その特定遊技状態中あるいは特定遊技終了時において、保留玉中に大当たりがあることを予告表示（以下、「保留玉当たり予告表示」という。）することが提案されている。（特許文献１）
【０００４】
一方、特別図柄表示手段による表示が予め定められた特定図柄となった場合に、遊技者にとって互いに利益率の異なる複数の特定遊技状態のうち、いずれかの特定遊技状態に制御される弾球遊技機も知られている。
このようなタイプの遊技機は、特定遊技状態を多様に設定できるため、大当たりになったとしても、どのような利益率の大当たりになったのか等、遊技者に興趣を与えることができる。
【特許文献１】特開２００７−１４３８２７号公報
【発明の開示】
【発明が解決しようとする課題】
【０００５】
このような従来例では、上記した特定遊技状態を多様に設定した弾球遊技機において、該保留玉当たり予告表示をすることについて考慮されていないので、遊技に興趣を与えるのに十分でない。
また、単に保留玉の大当たりを予告表示するのみであると、遊技者は、その予告表示がされた段階から大当たりが実際に表示されるまでの間、遊技球の打ち出しを中断してしまい、遊技機の稼働率が低下してしまう要因となってしまう。
本発明は前記の点に鑑みなされたものであり、特定遊技状態を多様に設定した弾球遊技機において、遊技場にとっては稼働率の落ちない、しかも遊技者にとっては興趣ある遊技機を提供しようとするものである。  
【課題を解決するための手段】
【０００６】
本発明は、上述した目的を達成する解決手段として、始動入賞口と、前記始動入賞口への遊技球の入賞により可変表示する特別図柄表示手段と、前記始動入賞口への遊技球の入賞によっても前記特別図柄表示手段による可変表示が未実行である保留玉に係る表示を一定個数まで表示する保留玉表示手段と、を有し、前記特別図柄表示手段による表示が予め定められた特定図柄となった場合に、遊技者にとって互いに利益率の異なる複数の特定遊技状態のうち、いずれかの特定遊技状態に制御される弾球遊技機において、前記保留玉表示手段に表示される保留玉が入賞に基づく抽せんで前記予め定められた特定図柄となる当せん乱数を保有したことを判定する判定手段と、前記判定手段によって前記保留玉が前記当せん乱数を保有すると判定したとき、前記保留玉表示手段に表示される前記当せん乱数を保有する保留玉に係る表示を、いずれかの特定遊技状態に制御される当せんであることを予告する当せん予告表示に変更するとともに、前記保留玉表示手段に表示される他の保留玉に係る表示を、前記当せんに係る特定遊技内容を予告する当せん内容予告表示に変更する保留玉表示変更手段を有する構成とした。
【０００７】
また、前記当せん内容予告表示を、前記保留玉毎に互いに異なる遊技内容の表示とする構成とした。
【０００８】
また、前記保留玉表示変更手段は、前記保留玉表示手段に表示される他の保留玉を、前記当せん乱数を保有する保留玉に係る可変表示が終了されるまでに新たに前記保留玉表示手段に表示されることとなった保留玉とする構成とした。
【０００９】
また、前記保留玉表示変更手段は、前記保留玉表示手段に表示される他の保留玉を、前記保留玉表示手段に表示される保留玉が予め定められた特定図柄となる当せん乱数を保有したと判定されたときに既に前記保留玉表示手段に表示されている保留玉とする構成とした。
【００１０】
さらに、前記予告を行うか否かを抽選する予告抽せん手段を有し、前記予告抽せん手段に当せんすることによって前記予告を行う構成とした。
【発明の効果】
【００１１】
本発明は、大当たり当せん乱数を有する保留玉が生じた場合、その保留玉に係る表示を大当たりであることを予告する当せん予告表示に変更するとともに、保留玉表示手段に表示される他の保留玉に係る表示を、大当たりの特定遊技内容を示唆する表示に変更する構成とすることにより、保留玉により大当たりの内容を予告することができると共に、保留玉の表示形態を利用した多様な演出が可能となるので、遊技者に対し興趣ある遊技機を提供することができる。
また、早くその大当たりの内容を知りたい遊技者は、他の保留玉をより多く表示させるべく遊技球の打ち出しを継続することとなり、遊技機の稼働率の維持に貢献することができる。
【発明を実施するための最良の形態】
【００１２】
本発明の第１の実施の形態を、本発明をパチンコ遊技機に適用した場合おいて、図面を用いて説明する。  
【００１３】
図１に示すように、パチンコ機５０は、本体枠５１と、本体枠５１の前面にガラス等の透明窓を含む窓枠（図示せず）が開閉自在に設けられて、遊技者が遊技盤１を視認できるようにするとともに、遊技盤１を外部から保護している。
遊技盤１の下方には、遊技盤上に発射されるべき遊技球を一時貯留する上皿５３が設けられている。上皿５３には、賞球払出口（図示せず）が設けられ、ここから賞球として払い出された遊技球が排出される。
上皿５３の下方には下皿５４が設けられ、上皿５３で貯留しきれなかった賞球が下皿５４に排出されるようになっている。下皿５４の右方には操作ハンドル５５が取り付けられており、遊技者が、操作ハンドル５５に手を添えて右に回すことにより発射装置（図示せず）が稼動し、上皿５３に貯留された遊技球が、上皿５３の右側に配列されながら発射装置に導かれ１球ずつ発射される。
発射された遊技球は遊技領域内に射出され、遊技領域に配置されたいずれの入賞口にも入賞しなかった遊技球はアウト口５８に回収される。
遊技盤１の略中央部には、液晶表示素子等からなる役物装置３００が設けられており、該役物装置３００内には、液晶表示素子からなる演出画像表示手段３１０と特別図柄表示手段３１１とが設けられている。この演出画像表示手段３１０は、特別図柄表示手段３１１における変動表示等に連関して、遊技者に対し興趣ある演出表示を提供する。
また、遊技盤１の右下部には、液晶表示素子からなる普通図柄表示手段３１２が設けられている。
更に、パチンコ機５０には、電飾装置５６、スピーカ５７が設けられており、遊技の進行に応じて、音や光によって様々な演出を行っている。また、遊技盤１には多数の障害釘や、風車等も設けられている。
なお、特別図柄表示手段３１１や普通図柄表示手段３１２は、上記した位置に限ることなく、遊技盤上の遊技者が視認できる箇所に適宜配置することができる。
【００１４】
また、特別図柄表示手段３１１を変動表示するために、第１始動入賞口４１と、その下方の電動チューリップからなる第２始動入賞口４２とが設けられている。
第１始動入賞口４１あるいは第２始動入賞口４２への遊技球の入賞により、所定個数の賞球が払い出されるとともに特別図柄表示手段３１１の変動表示が開始されるよう構成されている。
【００１５】
遊技盤１の遊技領域の左右には普通図柄始動口（スルーチャッカー）４３が設けられており、該普通図柄始動口４３への遊技球の入球によって普通図柄抽せんが行われ、その結果が前記した普通図柄表示手段３１２に表示される。その表示結果が、予め定められた表示結果となった場合は、上記した第２始動入賞口４２である電動チューリップが一定時間、開放され遊技球の入賞が可能とされる。
また、該電動チューリップ４２の下方には、特定遊技状態において遊技球が入賞することができるように開放される大入賞口（アタッカ）４４が設けられている。
更に、遊技盤の所定箇所には、一般入賞口４０が適宜配置されており、該一般入賞口へ遊技球が入賞すると、所定個数の遊技球が払い出されるように構成されている。
【００１６】
また、遊技球が第１始動入賞口４１ないし第２始動入賞口４２に入賞した時から、特別図柄表示手段３１１の変動表示が終了する時までの間、または特別図柄表示手段３１１において大入賞口４４が作動することとなる図柄の組み合わせが表示された時から当該大入賞口４４の作動が終了する時までの間に、遊技球が第１始動入賞口４１ないしは第２始動入賞口４２に入賞した遊技球については、予め設定された上限個数、本実施例では４個まで、いわゆる保留玉として、それぞれ保留玉表示手段３１５によって表示される。
この保留玉表示手段３１５は、図２に示すように、前記演出画像表示手段３１０の下部の液晶表示素子によって構成されており、上記した４個のそれぞれの保留玉表示位置（ｐ１〜ｐ４）が予め設定されている。
そして、保留玉は、その発生順に、図２中の左端の表示位置から右端の表示位置に向けて順に増加するよう表示され、保留玉が減少する毎に、右端の表示位置のものから順に減少するように表示される。
また、該保留玉表示手段３１５は、保留玉表示制御手段１１９および保留玉表示変更手段１２０により制御されて、その形態例えば形状あるいは色彩などを変化させることで、複数の状態を表現することができるように構成されている。
なお、該保留玉表示手段３１５の表示は、もちろんこれに限ることなく、液晶表示素子や発光ダイオード等を用いて、演出画像表示手段３１６とは別途に設けることもできる。
【００１７】
本実施の形態では、大当たりによって、遊技者にとって互いに利益率の異なる複数の遊技内容からある特定の遊技内容が選択されるように構成されている。
このため、大当たり判定手段１１４における乱数抽せんテーブルに、互いに利益率の異なる大当たりを複数設け、入賞時に乱数取得手段１１３によって取得した当せん乱数が該乱数抽せんテーブルに設けられたどの大当たり乱数に相当するかによって、どの遊技内容を有する特定遊技状態に当せんしたかを判定する。
なお、大当り判定手段１１４により取得した当せん乱数が「大当り」であった場合に、どの遊技内容を有する特定遊技状態とするかを、該乱数抽せんテーブルとは別の抽せんテーブルを用いて抽せんしても良い。
遊技者に対し利益率を異ならせる手段としては、（１）特定遊技状態において行われる大当たりラウンド数を相違させること、（２）特定遊技状態終了後の遊技における大当たり当せん確率を高確率とすること（いわゆる確変当たりとすること）、（３）特定遊技状態終了後の特別図柄表示手段及び普通図柄表示手段の変動表示時間を通常状態より短縮させ、その普通図柄抽せんにおける当せん確率を高めるとともに、当せんした場合の第２始動入賞口４２の開放時間も長くすること（大当たり終了後、いわゆる時短状態が付加されること）、（４）該時短状態での遊技可能回数に差を設けること、等の手段が採用可能である。
そして、このような利益率を異ならせる手段を組み合わせることで、多様な特定遊技内容を設定することができる。
【００１８】
ここで、該手段（１）〜（４）について説明する。
上記（１）のラウンド数とは、大入賞口４４の開放回数であって、該大入賞口４４が開放されて、所定個数（例えば１０個）の遊技球が入賞するか、あるいは所定時間（例えば３０秒）が経過するか、いずれかの状態となった時に閉鎖する動作を１ラウンドとし、そのラウンド数の上限を１５回、７回、あるいは１回などと設定する。
大入賞口への遊技球の入賞は、大入賞口センサにより検知され、入賞球１個毎に所定数（例えば１５個）の遊技球が払い出されるから、ラウンド数の多い大当たりの方が遊技者にとっては利益率が高い。
（２）の確変当たりとは、大当たり終了後、次の大当たりまでに大当たりとなる確率を高確率に設定し（例えば、通常遊技状態での大当たり確率が１／４００に対し、確変時の大当たり確率を１／４０とする。）、事実上、次の大当たりを遊技者に確定させる。したがって、確変当たりであることは、遊技者にとって利益率が高い。
（３）の時短状態とは、特別図柄表示手段及び普通図柄表示手段における変動表示時間を通常状態より短縮させ（例えば、特別図柄では、通常状態で８．３秒に対し時短状態で２．３秒。普通図柄では、通常状態で３０秒に対し時短状態で２秒。）、普通図柄抽せんにおける当せん確率を高めるとともに、当せんした場合の第２始動入賞口４２の開放時間も長くするように制御する（例えば、当せん確率は、通常状態で１０／３１に対し時短状態で２８／３１  。開放時間は、通常状態で０．２秒に対し時短状態で２秒）。
したがって、時短状態においては、第２始動入賞口４２に遊技球が入賞しやすくなるので、特別図柄抽せんが容易に行われる状態であり、しかも該第２始動入賞口４２への入賞が頻繁に行われることに伴う賞球の支払により、遊技者の持ち玉の減少が少なくなるので、遊技者にとって利益率が高い。
（４）の時短状態での遊技可能回数とは、大当たり終了後の時短状態において、特別図柄の変動表示回数をパラメータとして、遊技可能回数に上限を設けるものであり、例えば、特別図柄の変動表示回数（時短回数）が１００回、６０回、あるいは２０回となった時点で時短状態が終了するように設定する（その間に大当たりとなれば、その時点で、時短状態を終了する）。もちろん、該時短回数を０と設定することもできる。したがって、時短状態での遊技可能回数が多ければ、遊技者にとって利益率が高い。
【００１９】
したがって、遊技者にとっては、ようやく大当たりになったとしても、どの大当たりになったかは重大な関心事であり、その特定遊技内容を早く知りたいとの意志が働くこととなる。
そこで、本実施の形態では、保留玉表示手段３１５に表示される大当たり当せん乱数を保有する当該保留玉に係る表示を、いずれかの特定遊技状態に制御される大当たりであることを予告する当せん予告表示とすると共に、該保留玉表示手段３１５に表示される他の保留玉に係る表示を、その大当たりの特定遊技内容を予告する表示に変更する構成とした。
【００２０】
このため、第１実施の形態におけるパチンコ遊技機は、入力装置２１の他に、図３に示すように構成された制御装置１１と出力装置３１等を備えている。
入力装置２１は、複数の一般入賞口センサ２１０、第１始動入賞口センサ２１１、第２始動入賞口センサ２１２、大入賞口センサ２１３、普通図柄始動口入球センサ２１４等からなる周知の構成である。
ここで、一般入賞口センサ２１０は、複数の一般入賞口４０に入賞した遊技球を、第１及び第２始動入賞口センサ２１１，２１２はそれぞれ第１始動入賞口４１及び第２始動入賞口４２に入賞した遊技球を、大入賞口センサ２１３は大入賞口４４に入賞した遊技球を各々検知するセンサである。また、普通図柄始動口入球センサ２１４は、普通図柄始動口（スルーチャッカー）４３を入球する遊技球を検知するセンサである。
【００２１】
制御装置１１は、入力装置２１からの信号入力を受けて当該パチンコ遊技機の制御を行う手段であって、ＣＰＵ１１０、ＲＯＭ１１１、ＲＡＭ１１２の他、乱数取得手段１１３、大当たり判定手段１１４、変動表示制御手段１１５、演出画像表示制御手段１１６、特定遊技制御手段１１７、保留玉乱数記憶手段１１８、保留玉表示制御手段１１９、保留玉表示変更手段１２０、保留玉消化手段１２１、予告データメモリ１２２、予告抽せん手段１２３等を備えている。
ここで、乱数取得手段１１３、大当たり判定手段１１４、変動表示制御手段１１５、特定遊技制御手段１１７、保留玉乱数記憶手段１１８、保留玉表示制御手段１１９、保留玉表示変更手段１２０、保留玉消化手段１２１及び予告抽せん手段１２３等は、以下に記載するように、ＲＯＭ１１１に格納された遊技制御のための各種プログラムやデータをＣＰＵ１１０が読み込んで実行することにより機能するものであり、ＲＡＭ１１２は該プログラムを実行する際の作業領域等に用いられるものである。
【００２２】
乱数取得手段１１３は、第１始動入賞口４１あるいは第２始動入賞口４２に遊技球が入賞し、ＣＰＵ１１０により保留玉乱数記憶手段に記憶されている保留玉が３個以下であることが確認されると、その入賞球に対し大当たり抽せんのための当せん乱数を付与するものである。
大当たり判定手段１１４は、このように付与された当せん乱数が、ＲＯＭ１１１に格納されている予め定められた特定図柄となる当せん乱数に該当するか否かを判定するものである。
変動表示制御手段１１５は、この大当たり判定手段１１４の判定に基づいて、特別図柄表示手段３１１あるいは普通図柄表示手段３１２の変動表示を制御する手段である。
演出画像表示制御手段１１６は、変動表示制御手段１１５と同期して、演出画像表示手段３１０による演出画像表示を制御するものである。
特定遊技制御手段１１７は、特定遊技状態において、大入賞口作動装置３１４等を制御するものである。
【００２３】
保留玉乱数記憶手段１１８は、保留玉に係る当せん乱数を、４個を上限に記憶するものである。各保留玉に付与された当せん乱数（保留玉乱数）が、何個目に入賞した保留玉に係るものであるかが分かるように記憶される。
保留玉表示制御手段１１９は、保留玉の消化あるいは発生に伴って、保留玉表示手段の表示を制御するものである。
保留玉表示変更手段１２０は、保留玉当たり予告表示に伴って、保留玉表示手段による保留玉に係る表示を、通常の保留玉表示を、当せん予告表示あるいは特定遊技内容を表現する当せん内容予告表示に変更するよう制御するものである。
保留玉消化手段１２１は、当該保留玉乱数が大当たりの場合には大当たり演出画像表示を、外れの場合には外れ演出画像表示をそれぞれ選択し、その選択した演出画像表示を演出画像表示制御手段１１６により演出画像表示手段３１６に行わせるとともに、保留玉乱数記憶手段１１８に記憶されている当該保留玉乱数を消去し、かつ、保留玉表示制御手段１１９により各保留玉乱数の記憶位置を１個分だけ前にシフトする表示を行わせる手段である。
例えば、図２に示す保留玉表示手段３１５に３個の保留玉表示がなされている場合、つまり４つの保留玉表示位置（ｐ１〜ｐ４）のうち、左側のｐ１〜ｐ３までの保留玉表示がなされている場合に、特別図柄表示手段３１１の変動表示が停止し、大当たり判定結果が外れと表示されたとき、入賞時期の最も早い左端ｐ１の保留玉表示に係る当せん乱数が特別図柄表示手段３１１による変動表示の対象となって消化され、ｐ２に位置していた保留玉表示がｐ１の位置に、ｐ３がｐ２の位置に、というように順次、表示位置をシフトする。このように、該保留玉消化手段１２１によって、保留玉が入賞順に消化され、その表示位置が１個ずつ左方にずれて表示されていくこととなる。
予告用データ用メモリ１２２は、通常の保留玉表示を保留玉表示変更手段１２０によって当せん予告表示あるいは当せん内容予告表示に変更する際に用いるデータを、予め保有しておくものである。通常の保留玉表示形態とは明瞭に区別できるよう、例えば、キャラクタそのものを変更したり、あるいはキャラクタの一部の色や形状を変更させたりする表示用データとして、保存されている。該データは、保留玉表示変更手段１２０により適宜読み出され、保留玉表示手段３１５における保留玉表示の変更に利用される。
予告抽せん手段１２３は、保留玉当たり予告表示をするか否かの抽せんを行うものである。
【００２４】
出力装置３１は、制御装置１１により制御される画像表示装置等であって、上記した演出画像表示手段３１０、特別図柄表示手段３１１、普通図柄表示手段３１２、効果音出力装置３１３、大入賞口作動装置３１４、保留玉表示手段３１５、ランプ装置３１６、賞球払出装置３１７、あるいは保留玉当たり予告手段３１８等を備えている。
ここで、演出画像表示手段３１０は、上記したとおり、特別図柄表示手段３１１における変動表示等に連関して、遊技者に対し興趣ある演出表示を提供するものである。
効果音出力装置３１３は遊戯中に種々の効果音や音声をスピーカ５７等から出力する装置であり、ランプ装置３１６は遊戯中に電飾装置５６を点消灯させることで、いずれも、遊技者に対し遊技状態に応じた興趣を与える演出を行うものである。
大入賞口作動装置３１４は、大入賞口４４を作動させるための装置であり、特定遊技状態において、該大入賞口４４を覆っている前板をソレノイド等により作動させることで、該大入賞口を開放したり閉鎖したりする。
保留玉表示手段３１５は、保留玉表示を行うものであり、保留玉表示制御手段１１９あるいは保留玉表示変更手段１２０により、保留玉の個数を表示したり、保留玉の表示形態を変更することで大当たり内容（特定遊技内容）を予告したりすることができるように構成されている。
賞球払出装置３１７は、大入賞口４４などの各種入賞口に遊技球が入賞したことに伴い所定数の賞球を遊技者に払い出すものである。
保留玉当たり予告手段３１８は、上記保留玉表示手段３１５と協働して、保留玉当たりの予告表示をするものである。
【００２５】
次に、上記のように構成された本第１の実施の形態におけるパチンコ遊技機の動作について、本発明の特徴である保留玉当たりの予告動作を中心に、図４に示すフロー図を用いて説明する。
【００２６】
遊技球が第１始動入賞口４１あるいは第２始動入賞口４２に入賞し、その入賞が第１始動入賞口センサ２１１あるいは第２始動入賞口センサ２１２により検知されると、ＣＰＵ１１０が保留玉乱数記憶手段１１８に記憶されている当せん乱数（保留玉乱数）の記憶数が＜４であるか否か判定し、その判定結果が記憶数＜４である場合に、その入賞に対し、乱数取得手段１１３により大当たり判定のための当せん乱数が付与される。その記憶数が４以上の場合には、当せん乱数は付与されず、単に、賞球の払出のみが、賞球払出装置３１７により行われる。
次に、このように付与された該当せん乱数が予め定められた大当たり値に一致するか否か、大当たり判定手段１１４により判定される。Ｓ０１
【００２７】
Ｓ０１で大当たりでないと判定された場合には、保留玉当たり予告表示作業をすることなく、以降、特別図柄表示手段３１１が変動中であるか否かによって保留玉とされるか否かが決定される等の周知の処理がなされる。Ｓ０１−ＮＯ
つまり、変動表示制御手段１１５によって特別図柄表示手段３１１が変動表示中である場合については、該入賞球は保留玉となるので、該当せん乱数（この場合は、外れの当せん乱数）が、保留玉乱数記憶手段１１８に、４個を上限に入賞順に記憶される。その際、各保留玉に付与された当せん乱数（保留玉乱数）が、何個目に入賞した保留玉に係るものであるかが分かるように記憶される。
このように保留玉が発生した場合、保留玉表示制御手段１１９により、保留玉表示手段３１５に保留玉の発生を表示する。例えば、３個の保留玉が発生した場合、保留玉の発生毎に、予め定められた左方の表示位置から順に保留玉表示が行われ、３個目までの保留玉表示が行われる。
変動中でない場合には、保留玉乱数記憶手段１１８に記憶されている保留玉乱数はないので、直ちに、その入賞に係る当せん乱数に基づき変動表示が開始され、また、その変動表示に同期して、演出画像表示制御手段１１６により演出画像表示手段３１０の演出画像表示（この場合は、外れ演出画像表示）が開始される。
該特別図柄表示手段３１１の所定時間の変動表示が停止すると、演出画像表示手段３１０による所定の演出画像表示も終了し、大当たり判定手段１１４の判定結果が該演出画像表示手段３１０及び特別図柄表示手段３１１に表示され、遊技者に対し、「外れ」であることが提示される。  
遊技者にとっては、この演出画像表示手段３１０に展開される多様な演出画像を注視することで、結果的には外れ表示になるとしても、入賞した遊技球の判定結果がどのようになるかに興趣をそそられることとなる。
【００２８】
一方、Ｓ０１で大当たりと判定された場合には、Ｓ０２で、その入賞が特別図柄表示手段３１１の変動中のものであるか否かを判定し、変動表示中のものでない場合には、保留玉当たり予告表示作業をすることなく、直ちに、通常の大当たり処理が行われる。（Ｓ０２−ＮＯ）
Ｓ０２−ＮＯでは、変動表示制御手段１１５により特別図柄表示手段３１１の変動表示が開始され、また、その変動表示に同期して、演出画像表示制御手段１１６により演出画像表示手段３１０の演出画像表示（この場合は、大当たり演出画像表示）が開始される。
該特別図柄表示手段３１１の所定時間の変動表示が停止すると、演出画像表示手段３１０による所定の演出画像表示も終了し、大当たり判定手段１１４の判定結果が該演出画像表示手段３１０及び特別図柄表示手段３１１に表示され、遊技者に対し大当たりであることが提示される。この際、大当たりの遊技内容も、通常、併せて表示される。
このように大当たり表示が実行されると、それに併せて、特定遊技制御手段１１７により、効果音出力装置３１３及びランプ装置３１６による大当たりを報知する効果音演出や光演出が行われ、特定遊技状態に移行する。
【００２９】
Ｓ０２−ＹＥＳでは、Ｓ０３以降により、引き続き、当該入賞にかかる当せん予告表示と当せん内容予告表示を行うための処理を行う。
【００３０】
Ｓ０３では、このような大当たり当せん乱数を有する当該入賞について、保留玉当たり予告表示（当せん予告表示及び当せん内容予告表示）をするか否かの抽せんを、予告抽せん手段１２３により行う。Ｓ０３
該予告抽せん手段１２３は、所定の確率、例えば２０％の当せん確率で抽せんを行い、この抽せんに当せんすることで（Ｓ０３−ＹＥＳの場合）、保留玉当たり予告表示を行うものである。
該予告抽せん手段１２３は必ずしも必要とされるものではないが、この抽せん手段を設けることは、保留玉当たり予告表示が必ずしも行われないことに伴い（Ｓ０３−ＮＯの場合）、行われた場合には遊技者にとっての興趣が一層、倍増することとなり、好ましい。
【００３１】
該予告抽せん手段１２３による抽せんに当せんすると、以降、保留玉当たり予告表示のために、保留玉表示形態を変更する作業が開始される。Ｓ０４
まず、保留玉表示変更手段１２０は、保留玉乱数記憶手段１１８に保留玉乱数記憶があるか否か、判定する。Ｓ０５
保留玉乱数記憶手段１１８に保留玉乱数の記憶が１個も無い場合には（Ｓ０５−ＮＯ）、当該入賞は、保留玉表示手段３１５に１個目の保留玉として表示されると共に、その表示形態は、保留玉表示変更手段１２０により、通常の保留玉表示から当せん予告表示に変更されて、当該保留玉が大当たり当せん乱数を持つものであることを遊技者が容易に識別できるように表示形態が変更される。Ｓ１２
【００３２】
Ｓ０５−ＹＥＳの場合は、保留玉乱数記憶手段１１８に記憶されている保留玉乱数は上記したように３個以下であるので、その個数によって、保留玉当たり予告表示の態様がそれぞれ異なる。
保留玉が３個の場合には、Ｓ０６−ＹＥＳであるので、Ｓ０９〜Ｓ１２による保留玉表示変更が行われる。
Ｓ０６の時点では、図５に示すように、４個の保留玉表示位置（ｐ１〜ｐ４）の内、ｐ１〜ｐ３には、保留玉となった順に保留玉が表示されている（ｐ１に表示されている保留玉が最も早く保留玉となったものである）。保留玉表示変更手段１２０は、この時点で既に保留玉となっているこれら保留玉表示を、遊技内容を示す当せん内容予告表示に変更するものであり、ｐ１に位置する保留玉表示の表示形態を表示Ａと変更し（Ｓ０９）、ｐ２に位置する保留玉表示の表示形態を表示Ｂと変更し（Ｓ１０）、ｐ３に位置する保留玉表示の表示形態を表示Ｃと、それぞれ変更（先行表示変更）する。そして、ｐ４の位置に、当該入賞に係る新たな保留玉表示を追加し、その表示を、当せん予告表示（図５では、太陽を表示したようなマークである。）とする。
【００３３】
この実施の形態では、当せん内容予告表示を、表示Ａが、特定遊技状態終了後に時短状態が付加されることを予告する表示形態、表示Ｂが、特定遊技状態におけるラウンド数を予告する表示形態、表示Ｃが、特定遊技状態終了後に確変状態に移行するか否かを予告する表示形態とし、その表示の順序を、遊技者の興味ある特定遊技内容を予告する表示を後回しにすべく、表示Ａ→表示Ｂ→表示Ｃとした。
【００３４】
保留玉が２個の場合には、Ｓ０７−ＹＥＳであるので、Ｓ１０〜Ｓ１２による保留玉表示変更が行われる。
Ｓ０７の時点では、図６に示すように、４個の保留玉表示位置（ｐ１〜ｐ４）の内、ｐ１及びｐ２に保留玉が表示されている。保留玉表示変更手段１２０は、この時点で既に保留玉となっているこれら保留玉表示のうち、ｐ１に位置する保留玉表示の表示形態を表示Ａと変更し（Ｓ０９）、ｐ２に位置する保留玉表示の表示形態を表示Ｂと、それぞれ変更（先行表示変更）する（Ｓ１０）。そして、ｐ３の位置に、当該入賞に係る新たな保留玉表示が追加されるのであるが、その表示は、上記と同様、当せん予告表示とする。
【００３５】
保留玉が１個の場合には、Ｓ０８−ＹＥＳであるので、Ｓ１１及びＳ１２による保留玉変更が行われる。
Ｓ０８の時点では、図７に示すように、４個の保留玉表示位置（ｐ１〜ｐ４）の内、ｐ１に保留玉が表示されている。
保留玉表示変更手段１２０は、この時点で既に保留玉となっている該ｐ１に位置する保留玉表示の表示形態を、表示Ａと変更（先行表示変更）する（Ｓ１１）。
そして、ｐ２の位置に、当該入賞に係る新たな保留玉表示が追加されるのであるが、その表示は、上記と同様、当せん予告表示とする。
保留玉が０個の場合には、Ｓ０５−ＮＯと同様であり、ｐ１の位置に、当該入賞に係る保留玉表示が当せん予告表示として行われる。
【００３６】
このように、先行して表示されていた保留玉表示を、特定遊技内容を示す表示形態（当せん内容予告表示）に先行表示変更し、その特定遊技内容を遊技者に予告するのであるが、特定遊技内容を示す表示形態が３個で、先行して表示されていた保留玉表示が同じく３個の場合には、図５に示すように、先行表示変更された時点で、特定遊技内容の全てが遊技者に予告されることとなるが、図６〜８に示す場合には、全ての特定遊技内容の予告はされていない。
したがって、この第１の実施の形態では、当せん予告表示に係る保留玉の特別図柄の変動表示が終了するまでの間に、新たに保留玉となったものの保留玉表示を用いて、引き続き、残された特定遊技内容の予告を行うための当せん内容予告表示を行う。
例えば、図６（１）に示すように、先行表示変更された時点では表示Ａ及び表示Ｂが表示され、ｐ４位置に保留玉表示し得る状態となっているので、ｐ４位置に保留玉表示される保留玉が発生した時点で、該保留玉表示を残りの表示Ｃに表示変更する。
あるいは、図６（１）においてｐ１に位置する表示Ａの保留玉が特別図柄変動に移行すると、該表示Ａはこの保留玉表示手段３１５における表示から消滅し、図６（２）に示すように、ｐ１の位置には表示Ｂが右方から移動してくるように表示される。このように、保留玉表示が左方に順次移動していき、該表示Ａに係る保留玉の特別図柄変動表示中にｐ３位置に保留玉表示される保留玉が発生した時点で、該保留玉表示を表示Ｃに表示変更する。
このような後続する保留玉の表示の変更（後続表示変更）は、図６（３）、（４）に示すように、当せん予告表示（太陽を表示したようなマーク）の保留玉に係る特別図柄の変動表示が終了するまでに保留玉となったものが対象とされる。なお、図６（４）における表示Ｃは、該当せん予告表示に係る保留玉が特別図柄変動表示中となっている間に、当せん内容予告表示として表示されたものである。
このように後続表示変更する例を、図７（１）〜（４）、図８（１）〜（３）にも示した。
【００３７】
なお、この第１の実施の形態における先行表示変更によれば、当せん予告表示がなされた時点で当せん内容予告表示が同時になされることとなるが、当せん予告表示後に、当せん内容予告表示を順次行うように構成することもできる。
このため、先行表示変更する場合には、例えば、予告抽せん手段１２３に当せんすると、保留玉表示変更手段１２０により、保留玉乱数記憶手段１１８に記憶されている保留玉当せん乱数の個数を確認し、その個数に相当する時間分、変動表示制御手段１１５による特別図柄変動表示時間を延長させる構成を付加し、その時間内で、先ず当せん予告表示をしたのち、表示Ａ→表示Ｂ→表示Ｃの順に、順次時間を空けて先行表示変更を行うこととする。
あるいはまた、予告抽せん手段１２３に当せんした時点で、保留玉表示変更手段１２０により、特別図柄変動表示残り時間を計算し、その時間内で必要とされる先行表示変更を順次行うこととする。
このように構成すると、遊技者の利益率に対しより影響する保留玉変更表示が後回しになることから、遊技者に一層、興趣を与えることができる。
【００３８】
上記した第１の実施の形態においては、大当たりの保留玉が発生した時点で既に保留玉とされている保留玉表示を、特定遊技内容を表現する表示（当せん内容予告表示）に変更したが、該特定遊技内容を示す表示形態が３個で、先行して表示されていた保留玉表示が同じく３個の場合には、図５に示すように、当該当せん予告表示をした時点で当せん内容予告表示（Ａ，Ｂ，Ｃ）が全て表示されてしまうこととなるため、遊技者に遊技を続行させる誘因が乏しい。  
【００３９】
このため、第２の実施の形態では、上記したように当せん予告表示後、該当せん予告表示された保留玉に係る特別図柄変動表示が終了するまでの間に保留玉として表示されることとなったもののみを利用して、その表示形態を保留玉表示変更手段１２０により変更することで特定遊技内容の予告をするものである。
第２の実施の形態では、第１の実施の形態における図１ないし４に示す構成とほぼ同様の構成を有するので、その部分の説明は省略する。
図９に示すように、先行する保留玉が３個ある場合に、ｐ４の位置に当せん予告表示がなされると、以降、図９（１）〜（４）に示すように、既に保留玉となっていた表示が順次消化されるに伴い、該当せん予告表示された保留玉表示がｐ３→ｐ２→ｐ１と左方に移動し、その後に保留玉表示が１個生じると、その保留玉表示が表示Ａとして後続表示変更される。また、保留玉表示が２個生じると、最初の保留玉表示が表示Ａ、次の保留玉表示が表示Ｂとして保留玉表示変更がなされる。このように、当せん予告表示された保留玉に係る特別図柄変動表示が終了するまでの間に３個の保留玉が発生すると、順次、表示Ａ、Ｂ、Ｃとして後続表示変更される。
あるいは図１０に示すように、先行する保留玉が１個ある場合も、後続する留玉表示のみが、図１０（１）〜（３）の例で示すように、同様に後続表示変更に用いられる。
【００４０】
この第２の実施の形態では、このように後続表示変更のみ、つまり当せん予告表示をした後に保留玉となる保留玉表示のみを対象に表示変更するので、特定遊技内容を遊技者が知ろうとすると遊技を継続することとなるため、遊技者に遊技を続行させる誘因を与えることができる。
【００４１】
上記の第１の実施の形態においては、先行表示変更及び後続表示変更の両方を用いて予告表示し、第２の実施の形態においては後続表示変更のみを用いて予告表示しているが、これら先行表示変更及び後続表示変更を適宜組み合わせて予告表示するように構成することも可能である。このように組み合わせることにより、遊技内容の多様な予告表示が可能となり、遊技者に対し一層興趣ある遊技機を提供することができるし、遊技機の稼働率の維持にも大いに貢献することができる。
もちろん、先行表示変更のみを用いて構成することもできる。
【００４２】
また、上記の実施の形態においては、特定遊技内容をする要素として、時短予告、ラウンド予告および確変予告としたが、これに限定されることはなく、遊技者にとって利益率のそれぞれ異なる特定遊技状態を表す予告内容であれば良い。
また、特定遊技内容を予告する順序は、遊技者が最も興味を引く特定遊技内容の予告を後にすることが、遊技者が保留玉表示をすべく遊技を続行する誘因となり、好ましい。
上記した実施の形態では、その順序を、表示Ａ（時短予告）→表示Ｂ（ラウンド予告）→表示Ｃ（確変予告）、としたが、この順序に限ることはなく、遊技が続行される誘因となるように設定することができる。
更に、変更される表示形態についても、それら特定遊技内容を遊技者に適切に示唆することのできる表示形態を、適宜採用することができる。例えば、ラウンド予告について、１５ラウンド予告は黄金色、７ラウンド予告は赤色、１ラウンド予告は白色などと、複数の状態を色彩や形状で区別して告知することができるように構成することもできる。
【００４３】
あるいはまた、保留玉表示手段３１５における保留玉表示の表示形態を変化させることと併せ、保留玉当たり予告手段３１８により、効果音出力装置３１３あるいはランプ装置３１６、さらには演出画像表示手段３１０等を用いてそれら予告を行うように構成することもできる。
【００４４】
このように、本発明は、特定遊技内容を適切に表現することのできる互いに利益率の異なる複数の予告内容と、該予告内容の予告順序を予め設定し、それらを先行するあるいは後続する保留玉の表示に併せて遊技者に提示することで、遊技者に対し一層興趣ある遊技機を提供することができるとともに、店舗に対し遊技機の稼働率の維持に貢献することができる。
【図面の簡単な説明】
【００４５】
【図１】本発明の第１の実施の形態に係る遊技盤の全体説明図。
【図２】本発明の第１の実施の形態に係る役物装置の構成。
【図３】本発明の第１の実施の形態に係る遊技機の全体構成。
【図４】本発明の第１の実施の形態に係る遊技機の動作フロー。
【図５】本発明の第１の実施の形態に係る先行表示変更例
【図６】本発明の第１の実施の形態に係る先行表示変更例
【図７】本発明の第１の実施の形態に係る先行表示変更例
【図８】本発明の第１の実施の形態に係る先行表示変更例
【図９】本発明の第２の実施の形態に係る先行表示変更例
【図１０】本発明の第２の実施の形態に係る先行表示変更例
【符号の説明】
【００４６】
１  遊技盤
４０  一般入賞口
４１  第１始動入賞口
４２  第２始動入賞口
４３  普通図柄始動口  
４４  大入賞口
１１３  乱数取得手段
１１４  大当たり判定手段
１１８  保留玉乱数記憶手段
１１９  保留玉表示制御手段
１２０  保留玉表示変更手段
１２１  保留玉消化手段
１２３  予告抽せん手段
３００  役物装置
３１０  演出画像表示手段
３１１  特別図柄表示手段
３１２  普通図柄表示手段  
３１５  保留玉表示手段
【図１】
2010063792.tif 000003
【図２】
2010063792.tif 000004
【図３】
2010063792.tif 000005
【図４】
2010063792.tif 000006
【図５】
2010063792.tif 000007
【図６】
2010063792.tif 000008
【図７】
2010063792.tif 000009
【図８】
2010063792.tif 000010
【図９】
2010063792.tif 000011
【図１０】
2010063792.tif 000012